(57)【特許請求の範囲】
【請求項１】
通過する水量に応じた信号を出力する水道メータが設けられた配管に対し前記水道メータの上流側と下流側とに跨るように接続された際に、前記水道メータを経由する循環水路を前記配管とともに形成する取付配管と、
前記取付配管が前記配管に跨るように接続された際に、前記配管と前記取付配管とで形成された循環水路において予め設定された流量で水を循環させるポンプと、
を備え、
前記取付配管は、一方が前記水道メータの上流側において前記配管に設けられた第１バルブよりも前記水道メータの側において、他方が前記水道メータの下流側において前記配管に設けられた第２バルブよりも前記水道メータの側において、前記配管に接続され得るように形成された水道メータの確認装置。
【請求項２】
前記取付配管に設けられ、通過する水量を計測する確認メータ、
を備えた請求項１に記載の水道メータの確認装置。
【請求項３】
前記ポンプが駆動を開始した後に予め設定された時間が経過した際に前記ポンプの駆動を停止させる停止手段、
を備えた請求項１又は請求項２に記載の水道メータの確認装置。
【請求項４】
前記ポンプへ電力を供給するバッテリ、
を備え、
前記停止手段は、前記バッテリと前記ポンプとの間に接続され、前記ポンプが駆動を開始した後に予め設定された時間が経過した際に前記バッテリと前記ポンプとの接続を遮断する請求項３に記載の水道メータの確認装置。
【請求項５】
前記取付配管に接続された給水口と、
前記取付配管と前記給水口との間に設けられたバルブと、
を備えた請求項１から請求項４のいずれか一項に記載の水道メータの確認装置。
【請求項６】
前記取付配管は、
前記水道メータの上流側及び下流側の一方において前記配管に接続し得るように形成された一側を有した第１取付配管と、
前記水道メータの上流側及び下流側の他方において前記配管に接続し得るように形成された一側を有した第２取付配管と、
を備え、
前記ポンプは、前記第１取付配管の他側と前記第２取付配管の他側との間に接続された請求項１から請求項５のいずれか一項に記載の水道メータの確認装置。
【請求項７】
前記取付配管は、
前記水道メータの上流側及び下流側の一方において前記配管の内部に配置され得るように形成された一側と、
前記水道メータの上流側及び下流側の他方において前記配管に接続され得るように形成された他側と、
を備え、
前記ポンプは、前記取付配管の一側に接続された状態で前記水道メータの上流側及び下流側の一方において前記配管の内部に配置され得るように形成された水中ポンプからなる請求項１から請求項５のいずれか一項に記載の水道メータの確認装置。
【請求項８】
前記取付配管は、前記水道メータの上流側及び下流側の他方において前記配管に着脱自在に接続され得るように形成された他側を有した請求項７に記載の水道メータの確認装置。
【請求項９】
前記取付配管の他側に接続された流入口を有し、前記水道メータの上流側及び下流側の他方において前記配管に接続された第１流出口を有し、排出配管に接続された第２流出口を有した切替バルブと、
前記流入口と前記第１流出口との間で水路が形成されるように前記切替バルブを制御し、その後に前記ポンプの駆動を開始し、その後に予め設定された時間が経過した際に前記流入口と前記第２流出口との間で水路が形成されるように前記切替バルブを制御する制御装置と、
を備えた請求項７に記載の水道メータの確認装置。
【発明の詳細な説明】
【技術分野】
【０００１】
この発明は、水道メータの確認装置に関する。
【背景技術】
【０００２】
例えば、特許文献１には、水道メータが記載されている。当該水道メータは、通過する水量に応じてパルス信号を出力する。当該パルス信号は、中央管理システム、課金システム等に取り込まれる。中央管理システム、課金システム等は、当該信号の数に応じて水道料金の請求額を決める。新築工事等においては、実際に水を流して水道メータの動作確認試験が実施される。このため、水道料金の誤請求を防止することができる。
【先行技術文献】
【特許文献】
【０００３】
【特許文献１】特開平６−２４９６９８号公報
【特許文献２】特開２００２−９０２５５号公報
【特許文献３】特開２００６−２７５５８８号公報
【特許文献４】特開２００８−２９８５４５号公報
【特許文献５】特開２００７−１４７５１１号公報
【特許文献６】特開２０００−３２９６０１号公報
【特許文献７】実開平３−５０６５３号公報
【発明の概要】
【発明が解決しようとする課題】
【０００４】
しかしながら、新築工事等においては、什器の設置の遅れ、配管工事の遅れ等が発生する。この場合、水道メータの動作確認試験は、建物の引渡し直前に実施されるが、他工事の工程に邪魔され、十分な時間がとれない。このため、水道メータの動作確認試験に対し、十分な作業時間を確保することができない。
【０００５】
この発明は、上述の課題を解決するためになされた。この発明の目的は、水道メータの動作確認試験を他工程に邪魔されずに短時間で実施することができる水道メータの確認装置を提供することである。
【課題を解決するための手段】
【０００６】
この発明に係る水道メータの確認装置は、通過する水量に応じた信号を出力する水道メータが設けられた配管に対し前記水道メータの上流側と下流側とに跨るように接続された際に、前記水道メータを経由する循環水路を前記配管とともに形成する取付配管と、前記取付配管が前記配管に跨るように接続された際に、前記配管と前記取付配管とで形成された循環水路において予め設定された流量で水を循環させるポンプと、を備え、前記取付配管は、一方が前記水道メータの上流側において前記配管に設けられた第１バルブよりも前記水道メータの側において、他方が前記水道メータの下流側において前記配管に設けられた第２バルブよりも前記水道メータの側において、前記配管に接続され得るように形成された。
【発明の効果】
【０００７】
この発明によれば、循環水路を流れる水により水道メータの動作を確認することができる。このため、水道メータの動作確認試験を他工程に邪魔されずに短時間で実施することができる。
【図面の簡単な説明】
【０００８】
【図１】この発明の実施の形態１における水道メータの確認装置が用いられる水道メータの模式図である。
【図２】この発明の実施の形態１における水道メータの確認装置の模式図である。
【図３】この発明の実施の形態２における水道メータの確認装置の模式図である。
【図４】この発明の実施の形態３における水道メータの確認装置の模式図である。
【図５】この発明の実施の形態４における水道メータの確認装置の模式図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略する。
【００１０】
実施の形態１．
図１はこの発明の実施の形態１における水道メータの確認装置が用いられる水道メータ２の模式図である。
【００１１】
図１において、図示しないタンク等には、水が貯えられる。タンク等の下流側には、配管１が接続される。配管１の下流側には、図示しない蛇口等が取り付けられる。配管１の途中には、水道メータ２が取り付けられる。水道メータ２の上流側において、配管１には、第１手動バルブ３が取り付けられる。水道メータ２の下流側において、配管１には、第２手動バルブ４が取り付けられる。
【００１２】
第１手動バルブ３と水道メータ２との間において、配管１には、第１取付穴５が形成される。第１取付穴５には、図示しない第１プラグが着脱自在に取り付けられる。例えば、第１プラグは、第１取付穴５にねじ込まれる。水道メータ２と第２手動バルブ４との間において、配管１には、第２取付穴６が形成される。第２取付穴６には、図示しない第２プラグが着脱自在に取り付けられる。例えば、第２プラグは、第２取付穴６にねじ込まれる。
【００１３】
水道の使用時においては、作業員は、第１手動バルブ３と第２手動バルブ４とを開く。この状態で利用者が蛇口等を操作すると、タンク内の水が配管を通過して蛇口等から流れ出す。この際、水道メータ２は、通過する水量に応じた信号を出力する。例えば、水道メータ２は、通過する水量が１ｍ３となるごとに１パルスの信号を出力する。当該信号は、図示しない中央管理システム、図示しない課金システム等に取り込まれる。中央管理システム、課金システム等は、当該信号の数に応じて水道料金の請求額を決める。
【００１４】
次に、図２を用いて、水道メータ２の確認装置を説明する。
図２はこの発明の実施の形態１における水道メータの確認装置の模式図である。
【００１５】
図２の確認装置において、取付配管７は、配管１に対し水道メータ２の上流側と下流側とに跨るように接続される。取付配管７は、水道メータ２を経由する循環水路を配管１とともに形成する。具体的には、取付配管７は、第１取付配管７ａと第２取付配管７ｂとを備える。第１取付配管７ａの一側は、第１取付穴５に着脱自在に接続される。第２取付配管７ｂの一側は、第２取付穴６に着脱自在に接続される。第１取付配管７ａの他側は、ポンプ８の流出口に接続される。第２取付配管７ｂの他側は、ポンプ８の流入口に接続される。
【００１６】
ポンプ８には、バッテリ９が接続される。ポンプ８とバッテリ９との間には、タイマ１０が接続される。タイマ１０の動作は、ポンプ８の仕様と水道メータ２の仕様とに応じて設定される。タイマ１０は、予め設定された時間が経過した際に切れるように設定される。例えば、タイマ１０は、水道メータ２の設定が正しい際に水道メータ２が１パルスの信号を出力する時間で切れるように設定される。
【００１７】
第１取付配管７ａの途中には、給水配管１１の一側が接続される。給水配管１１の他側には、給水口１２が設けられる。第１取付配管７ａと給水口１２との間において、給水配管１１には、第３手動バルブ１３が設けられる。
【００１８】
水道メータ２の動作確認試験の開始時においては、作業員は、第１手動バルブ３と第２手動バルブ４とを閉める。その後、作業員は、第１取付穴５から第１プラグを取り外す。作業員は、第２取付穴６から第２プラグを取り外す。その後、作業員は、第１取付配管７ａの一側を第１取付穴５に接続する。作業員は、第２取付配管７ｂの一側を第２取付穴６に接続する。その後、作業員は、第３手動バルブ１３を開く。その後、作業員は、給水口１２から水を供給する。給水口１２が水で満たされると、作業員は、第３手動バルブ１３を閉じる。
【００１９】
その後、作業員は、ポンプ８の駆動を開始させる。当該駆動により、ポンプ８は、循環水路において予め設定された流量で水を循環させる。この際、バッテリ９は、ポンプ８に電力を供給する。タイマ１０は、計時を開始する。タイマ１０が０になると、バッテリ９からの電力供給が遮断される。当該遮断により、ポンプ８が停止する。当該停止により、水の循環が停止する。
【００２０】
その後、作業員は、水道メータ２が正しく動作したか否かを確認する。例えば、水道メータ２が１パルスの信号を出力した状態の際、作業員は、水道メータ２が正しく動作したと判断する。例えば、水道メータ２が信号を出力していない状態の際、作業員は、水道メータ２が正しく動作しなかったと判断する。例えば、水道メータ２が２パルス以上の信号を出力した状態の際、作業員は、水道メータ２が正しく動作しなかったと判断する。
【００２１】
水道メータ２の動作確認試験の終了時においては、作業員は、第２手動バルブ４と第３手動バルブ１３とを開く。その結果、循環水路内の水は、ある程度排出される。その後、作業員は、第１取付穴５から第１取付配管７ａの一側を取り外す。作業員は、第２取付穴６から第２取付配管７ｂの他側を取り外す。その後、作業員は、第１プラグを第１取付穴に取り付ける。作業員は、第２プラグを第２取付穴６に取り付ける。
【００２２】
以上で説明した実施の形態１によれば、第１取付配管７ａと第２取付配管７ｂとは、配管１とともに循環水路を形成する。この際、ポンプ８を駆動すれば、水道メータ２の動作を確認することができる。このため、水道メータ２の動作確認試験を他工程に邪魔されずに短時間で実施することができる。
【００２３】
また、第１手動バルブ３、第２手動バルブ４が設置されていれば、循環水路を容易に形成することができる。このため、他工程への実負荷試験への影響を少なくすることができる。実負荷試験で使用する水量を少なくすることができる。
【００２４】
また、タイマ１０は、停止手段として機能する。具体的には、タイマ１０は、予め設定された時間で切れる。その結果、バッテリ９からの電力供給が遮断される。当該遮断により、ポンプ８が停止する。当該停止により、水の循環が停止する。このため、水道メータ２が必要以上に信号を出力することを防止できる。
【００２５】
また、確認装置には、給水口１２が設けられる。このため、タンク等が設置されていない場合でも、水道メータ２の動作確認試験を実施することができる。
【００２６】
実施の形態２．
図３はこの発明の実施の形態２における水道メータの確認装置の模式図である。なお、実施の形態１と同一又は相当部分には同一符号を付して説明を省略する。
【００２７】
図３に示すように、実施の形態２の確認装置は、実施の形態１の確認装置に確認メータ１４を付加したものである。確認メータ１４は、第２取付配管７ｂの途中に設けられる。確認メータ１４は、通過する水量を計測する。例えば、確認メータ１４は、通過する水量に応じた信号を出力する。例えば、確認メータ１４は、通過する水量が１ｍ３となるごとに１パルスの信号を出力する。例えば、確認メータ１４は、通過する水量が１ｍ３となるごとに１パルスの信号を出力する。
【００２８】
作業員は、水道メータ２の動作確認試験を実施の形態１と同様に開始する。水道メータ２の動作確認試験の終了時において、作業員は、水道メータ２の動作状態と確認メータ１４の動作状態とを比較する。例えば、水道メータ２の信号出力状態と確認メータ１４の信号出力状態とが同じ場合、作業員は、水道メータ２が正しく動作したと判断する。例えば、水道メータ２の信号出力状態と確認メータ１４の信号出力状態とが異なる場合、作業員は、水道メータ２が正しく動作しなかったと判断する。
【００２９】
以上で説明した実施の形態２によれば、確認メータ１４が水道メータ２とは別に設けられる。このため、水道メータ２の値を確認メータ１４の値と比較することで、水道メータ２が正しく動作したか否かを容易に確認することができる。
【００３０】
実施の形態３．
図４はこの発明の実施の形態３における水道メータの確認装置の模式図である。なお、実施の形態１と同一又は相当部分には同一符号を付して説明を省略する。
【００３１】
図４の確認装置において、第２取付配管７ｂはホースからなる。第２取付配管７ｂの一側は、第２取付穴６を介して配管１内に配置される。第１取付配管７ａの一側は、第１取付穴５に接続される。第２取付配管７ｂの一側には、ポンプ８が取り付けられる。ポンプ８は水中ポンプからなる。第２取付配管７ｂの他側は、第１取付配管７ａの他側に着脱自在に接続される。
【００３２】
水道メータ２の動作確認試験の終了後においては、作業員は、第１取付配管７ａの他側から第２取付配管７ｂの他側を取り外す。その後、作業員は、ポンプ８を駆動する。当該駆動により、配管１内の水が第２取付配管７ｂの他側から排出される。
【００３３】
以上で説明した実施の形態３によれば、第２取付配管７ｂの他側は、第１取付配管７ａの他側に着脱自在に接続される。このため、水道メータ２の動作確認試験の終了後において、水道メータ２の動作確認試験に使用した水を容易に排出することができる。
【００３４】
実施の形態４．
図５はこの発明の実施の形態４における水道メータ２の確認装置の模式図である。なお、実施の形態３と同一又は相当部分には同一符号を付して説明を省略する。
【００３５】
図５に示すように、第１取付配管７ａの他側と第２取付配管７ｂの他側との間には、切替バルブ１５が設けられる。切替バルブ１５は、流入口と第１流出口と第２流出口とを備える。流入口は、第２取付配管７ｂの他側に接続される。第１流出口は、第１取付配管７ａの他側に接続される。第２流出口は、排出配管１６の一側に接続される。
【００３６】
切替バルブ１５には、制御装置１７が接続される。水道メータ２の動作確認試験の開始時において、制御装置１７は、切替バルブ１５の流入口と第１流出口との間で水路が形成されるように切替バルブ１５を制御する。その後、制御装置１７は、ポンプ８の駆動を開始する。水道メータ２の動作確認試験の終了後において、制御装置１７は、流入口と第２流出口との間で水路が形成されるように切替バルブ１５を制御する。当該制御により、水道メータ２の動作確認試験に使用した水が排出配管１６の他側から排出される。
【００３７】
以上で説明した実施の形態３によれば、水道メータ２の動作確認試験の終了後において、制御装置１７は、流入口と第２流出口との間で水路が形成されるように切替バルブ１５を制御する。このため、水道メータ２の動作確認試験に使用した水を自動で排出することができる。
【符号の説明】
【００３８】
１  配管、  ２  水道メータ、  ３  第１手動バルブ、  ４  第２手動バルブ、  ５  第１取付穴、  ６  第２取付穴、  ７  取付配管、  ７ａ  第１取付配管、  ７ｂ  第２取付配管、  ８  ポンプ、  ９  バッテリ、  １０  タイマ、  １１  給水配管、  １２  給水口、  １３  第３手動バルブ、  １４  確認メータ、  １５  切替バルブ、  １６  排出配管、  １７  制御装置
【図１】
0006007888.tif 000002
【図２】
0006007888.tif 000003
【図３】
0006007888.tif 000004
【図４】
0006007888.tif 000005
【図５】
0006007888.tif 000006